(57)【特許請求の範囲】
【請求項１】
吸着孔を形成したラベル吸着面を有するとともに、この吸着孔に連通する中空部を有し、この中空部内におけるエアーの負圧により前記ラベル吸着面にラベル片を一時的に吸着可能であるとともに、この吸着したラベル片を、該中空部内におけるエアーの加圧により被貼付物に向けて吹き付け可能なラベル吸着体であって、前記中空部内に前記吸着孔が開口している下流側内壁面に、前記被貼付物への前記エアーの流れを整流可能な中空部の高さに対して１／３〜２／３倍の高さで、円錐台の形状の整流部材を設け、前記整流部材および前記整流部材の底面に接触している下流側内壁面には吸着孔を形成せず、前記整流部材の底面に接触している下流側内壁面の周辺に多数の吸着孔が開口していることを特徴とするラベル吸着体。
【請求項２】
前記整流部材は、前記エアーの流れ方向に沿って下流側に拡開した形状を有することを特徴とする請求項１記載のラベル吸着体。
【請求項３】
前記整流部材は、前記中空部へのエアー加圧用のエアー供給孔に対向するように、該中空部を隔てて、これを設けたことを特徴とする請求項１記載のラベル吸着体。
【発明の詳細な説明】
【０００１】
【発明の属する技術分野】
本発明はラベル吸着体にかかるもので、とくにラベル片を任意の被貼付物に貼り付けるラベル貼付装置において、エアーブロー方式のラベル貼付用として用いられるラベル吸着体に関するものである。
【０００２】
【従来の技術】
従来のラベル吸着体について図３を参照して概説する。
図３は、一般的なラベル貼付装置１の要部断面図であって、ラベル貼付装置１は、ラベル印字機構２と、ラベル貼付機構３と、を有する。
【０００３】
ラベル連続体４は、帯状の台紙５およびその表面に仮着した複数枚のラベル片６（ラベル）からこれを構成し、ラベル印字機構２は、ラベル片６に所定の印字を行ったのち、剥離板７の部分で台紙５のみを転向させて、単一のラベル片６をラベル貼付機構３の下部に位置させる。
【０００４】
ラベル貼付機構３は、ラベル吸着体８と、吸着用のエアー排出ホース９と、吹付け用のエアー供給ホース１０と、を有する。
【０００５】
ラベル吸着体８は、矩形状の吸着板１１と、箱体１２と、からこれを構成し、内部に中空部１３を形成する。
吸着板１１は、その吸着面１１Ａと中空部１３に臨む下流側内壁面１１Ｂとの間を連通する多数の吸着孔１４を吸着面１１Ａに平均的に分散形成してある。
【０００６】
箱体１２の中空部１３に臨む上流側内壁面１２Ａには、エアー排出ホース９およびエアー供給ホース１０が開口し、エアー供給ホース１０の開口部１０Ａは中空部１３の中央部に位置するようにこれを形成する。
【０００７】
なおコンベア１５が、任意の被貼付物１６をラベル貼付機構３の下方を通過するように移送し、ラベル片６を被貼付物１６方向に吹き付け、その上面に貼り付ける。
【０００８】
こうした構成のラベル貼付装置１において、ラベル印字機構２により所定の情報を印字されたラベル片６は剥離板７において剥離され、ラベル貼付機構３におけるラベル吸着体８の吸着面１１Ａに至る。
このときエアー排出ホース９から中空部１３内部の空気を排出して内部を負圧とすることにより吸着孔１４を介して吸着面１１Ａにラベル片６を一時的に吸着する。
【０００９】
コンベア１５上の被貼付物１６がラベル貼付機構３の下方まで移送されてきたときに、エアー排出ホース９からエアー供給ホース１０に切り替え、エアー供給ホース１０からエアーをラベル吸着体８内（中空部１３）に加圧状態で供給し、その吸着孔１４からエアーを所定圧力で吹き出してラベル片６を被貼付物１６方向に吹き付け、貼付するものである。
【００１０】
この種のラベル貼付装置１においては、ラベル片の一時吸着および吹付け用として、エアー排出ホース９およびエアー供給ホース１０を切り替えるために所定容量の中空部１３を形成しておく必要があり、ラベル吸着体８内の中空部１３は、図示のように断面矩形状を呈している。
【００１１】
したがって、開口部１０Ａから中空部１３内さらに吸着孔１４へのエアーの流れに渦その他の乱れが生ずる結果、各吸着孔１４へのエアーの容量の均一性および吸着孔１４を通るエアーの直進性が欠けることになり、ラベル片６に対する吹付け力が不均一かつ弱く、安定性に欠けるとともに、被貼付物１６に貼付されるラベル片６の貼付位置が不正確で、確実に貼付することができないという問題がある。
【００１２】
さらに、吹付け用のエアー供給ホースの開口部は、ラベル吸着体の上流側内壁面の中央部にこれを臨ませることが一般的であり、この開口部からのエアーに最短距離の位置にある下流側内壁面の中央部には吸着孔を形成することなく、開口部からのエアーができるだけ中空部の周縁部にエアーが均一に行き渡るようにしてはいるが、上述のようなエアーの流れの乱れを完全に防止することは困難であるという問題がある。
【００１３】
【発明が解決しようとする課題】
本発明は以上のような諸問題にかんがみなされたもので、被貼付物に対するラベル片の吹付け作用を安定化させることができるラベル吸着体を提供することを課題とする。
【００１４】
また本発明は、中空部から吸着孔を通ってラベル片方向に吹き付けるエアーの流れを均一化することができるラベル吸着体を提供することを課題とする。
【００１５】
また本発明は、簡単な構成で、エアーの吹付け能力を安定化かつ確実化することができるラベル吸着体を提供することを課題とする。
【００１６】
【課題を解決するための手段】
すなわち本発明は、中空部の内部に整流部材を配置することにより、吹付け用のエアー供給ホースの開口部からのエアーの流れを整流可能であることに着目したもので、吸着孔を形成したラベル吸着面を有するとともに、この吸着孔に連通する中空部を有し、この中空部内におけるエアーの負圧により上記ラベル吸着面にラベル片を一時的に吸着可能であるとともに、この吸着したラベル片を、該中空部内におけるエアーの加圧により被貼付物に向けて吹き付け可能なラベル吸着体であって、前記中空部内に前記吸着孔が開口している下流側内壁面に、前記被貼付物への前記エアーの流れを整流可能な中空部の高さに対して１／３〜２／３倍の高さで、円錐台の形状の整流部材を設け、前記整流部材および前記整流部材の底面に接触している下流側内壁面には吸着孔を形成せず、前記整流部材の底面に接触している下流側内壁面の周辺に多数の吸着孔が開口していることを特徴とするラベル吸着体である。
【００１７】
上記整流部材は、上記エアーの流れ方向に沿って下流側に拡開した形状を有することができる。
【００１８】
上記整流部材は、上記中空部へのエアー加圧用のエアー供給孔に対向するように、該中空部を隔てて、これを設けることができる。
【００２１】
本発明によるラベル吸着体においては、中空部内に吸着孔が開口する下流側内壁面に整流部材を設けたので、エアー供給ホースから中空部内に導入されて吸着孔方向に流れるエアーが渦を発生することなく、整流された状態で吸着孔を通過可能であり、被貼付物へのエアーの流れが直進性を有する。
したがって、中空部から吸着孔側に流れるエアーが中空部の下流側内壁面においてほぼ均一化される結果、ラベル吸着体の吸着面全面からほぼ均一な吹付け力のエアーをラベル片に与えることができるため、被貼付物にラベル片を安定かつ確実に吹き付けることができる。
【００２２】
したがって、中空部内に整流部材を配置するだけで、ラベル片の吹付け能力が安定し、被貼付物への貼付の確実性および貼付位置の正確性を確保することができる。
【００２３】
【発明の実施の形態】
つぎに本発明の実施の形態によるラベル吸着体２０を図１にもとづき説明する。ただし、図２と同様の部分には同一符号を付し、その詳述はこれを省略する。図１は、ラベル吸着体２０の要部断面図であって、ラベル吸着体２０は、前記吸着板１１と、箱体１２に相当する箱体２１と、整流部材２２と、を有し、内部に中空部１３を形成してある。
【００２４】
箱体２１は、エアー供給ホース１０の開口部１０Ａが開口するその上流側内壁面２１Ａは平坦であるが、その隅部はこれを拡開内壁面２１Ｂとしてある。
【００２５】
整流部材２２は、金属材料あるいはプラスチック材料など任意の材料からこれを構成した円錐台の形状とし、その頂面２２Ａより底面２２Ｂの方が拡開しており、吸着板１１の下流側内壁面１１Ｂに接着剤、あるいは吸着面１１Ａ側からのボルト締めなどにより下流側内壁面１１Ｂに固定してある。
【００２６】
整流部材２２の固定位置としては、下流側内壁面１１Ｂの中央位置であり、またエアー供給ホース１０の開口部１０Ａに対向する位置である。
したがって、整流部材２２の底面２２Ｂに接触している吸着板１１には吸着孔１４を形成せず、その周囲に多数の吸着孔１４が開口していることになる。
【００２７】
整流部材２２の寸法としては、その整流作用を有効かつ安定して発揮させるために、中空部１３の高さＨに対して、その高さＬが１／３〜２／３倍程度、さらにエアー供給ホース１０の開口部１０Ａの直径Ｄに対して、頂面２２Ａの直径Ｍが０．５〜０．９倍程度、および底面２２Ｂの直径Ｎが１．０〜１．４倍程度が望ましい。
【００２８】
こうした構成のラベル吸着体２０において、エアー供給ホース１０の開口部１０Ａから中空部１３内に加圧供給されるエアーは、整流部材２２の頂面２２Ａに衝突し、その円周方向に分散される。
さらにエアーは、整流部材２２のまわりに均等に整流されつつ下流側に流れ、吸着孔１４に至るため、中空部１３内に渦を発生させることなく、吸着孔１４から吸着面１１Ａに吹き出す状態では、ラベル片６に直線的に吹付け圧力を作用させることができる。
【００２９】
したがって、ラベル片６を被貼付物１６に対して確実かつ正確な位置に、安定して貼付することができる。
【００３６】
【発明の効果】
以上のように本発明によれば、中空部に整流部材を設けたので、中空部内でのエアーの流れを整流し、吸着孔におけるエアーの流れを均一化することができるため、エアーブロー方式におけるラベル貼付作用を安定化かつ確実化することができる。
【図面の簡単な説明】
【図１】本発明の第１の実施の形態によるラベル吸着体２０の要部断面図である。
【図２】一般的なラベル貼付装置１の要部断面図である。
【符号の説明】
１ ラベル貼付装置（図２）
２ ラベル印字機構
３ ラベル貼付機構
４ ラベル連続体
５ 台紙
６ ラベル片
７ 剥離板
８ ラベル吸着体
９ 吸着用のエアー排出ホース
１０ 吹付け用のエアー供給ホース
１０Ａ エアー供給ホース１０の開口部
１１ 吸着板
１１Ａ 吸着板１１の吸着面
１１Ｂ 吸着板１１の下流側内壁面
１２ 箱体
１２Ａ 箱体１２の上流側内壁面
１３ 中空部
１４ 吸着孔
１５ コンベア
１６ 被貼付物
２０ ラベル吸着体（図１）
２１ 箱体
２１Ａ 箱体２１の上流側内壁面
２１Ｂ 箱体２１の拡開内壁面
２２ 整流部材
２２Ａ 整流部材２２の頂面
２２Ｂ 整流部材２２の底面
Ｈ 中空部１３の高さ
Ｄ エアー供給ホース１０の開口部１０Ａの直径
Ｌ 整流部材２２の高さ
Ｍ 整流部材２２の頂面２２Ａの直径
Ｎ 整流部材２２の底面２２Ｂの直径
【図１】
0003897189.tif 000002
【図２】
0003897189.tif 000003